(57)【要約】【課題】本発明は、キーボードカバーの収納場所を必要としないようにする。【解決手段】本発明は、キーボードに対し、表側のキー配列面に複数のキーが配列されたキーボード筐体と、連結部を介して互いに連結された第１の部材と第２の部材とでキーボード筐体のキー配列面を覆うキーボードカバーと、当該キーボードカバーの裏面に一方のキーと他方のキーとの間のキー配列面に当接するように設けられた突起部とを設け、第１の部材の第２の部材と連結する側とは反対側を、キーボード筐体の前縁部に揺動可能に装着することにより、キーボードの非使用時にキー配列面をキーボードカバーによって覆うと共に、キーボードカバーが撓んでキーが押下されることを回避でき、キーボードの使用時にはキーボードカバーをキーボード筐体の前縁部よりも前側に揺動させて待避させることができ、かくしてキーボードカバーの収納場所を必要としないようにすることができる。【選択図】図９
2008065849.tif 000002
【特許請求の範囲】
【請求項１】
各種信号処理を実行する本体部に各種命令を与えるためのキーボードと、上記本体部から与えられる上記信号処理内容を表示パネルに表示する表示手段とを有するコンピュータ装置において、
上記キーボードは、
表側のキー配列面に複数のキーが配列されたキーボード筐体と、
連結部を介して互いに連結された第１及び第２の部材を有し、上記第１の部材と上記第２の部材とで上記キーボード筐体の上記キー配列面を覆うキーボードカバーと、
上記キーボードカバーの裏面に、当該キーボードカバーが覆う上記複数のキーのうち一方のキーと他方のキーとの間の上記キー配列面に当接するように設けられた突起部と
を具え、
上記第１の部材は、上記第２の部材と連結する側とは反対側が、上記キーボード筐体の前縁部に揺動可能に装着された
ことを特徴とするコンピュータ装置。
【請求項２】
上記突起部は、上記第２の部材の裏面に、上記一方のキーとしての通常のキーと、上記他方のキーとしてのファンクションキーとの間の上記キー配列面に当接するように設けられた
ことを特徴とする請求項１に記載のコンピュータ装置。
【請求項３】
上記キーボードカバーは、上記第１及び第２の部材が当該第２の部材を上側にして折り畳まれて上記キーボード筐体の載置面に載置可能である
ことを特徴とする請求項１に記載のコンピュータ装置。
【請求項４】
上記キーボード筐体の載置面に対する角度を所定角度に調整する角度調整機構
を具え、
上記キーボードカバーは、上記角度調整機構により上記キーボード筐体の角度が上記所定角度に調整された状態で上記第１及び第２の部材が折り畳まれたとき、上記載置面から浮上しないように上記第１の部材の上記第２の部材と連結する側とは反対側が上記キーボード筐体の上記前縁部に対して揺動する
ことを特徴とする請求項１に記載のコンピュータ装置。
【請求項５】
上記キーボード筐体は、上記キー配列面に、当該キー配列面が上記キーボードカバーによって覆われても、操作可能なキーが設けられた
ことを特徴とする請求項１に記載のコンピュータ装置。
【請求項６】
表側のキー配列面に複数のキーが配列されたキーボード筐体と、
連結部を介して互いに連結された第１及び第２の部材を有し、上記第１の部材と上記第２の部材とで上記キーボード筐体の上記キー配列面を覆うキーボードカバーと、
上記キーボードカバーの裏面に、当該キーボードカバーが覆う上記複数のキーのうち一方のキーと他方のキーとの間の上記キー配列面に当接するように設けられた突起部と
を具え、
上記第１の部材は、上記第２の部材と連結する側とは反対側が、上記キーボード筐体の前縁部に揺動可能に装着された
ことを特徴とするキーボード。
【請求項７】
上記突起部は、上記第２の部材の裏面に、上記一方のキーとしての通常のキーと、上記他方のキーとしてのファンクションキーとの間の上記キー配列面に当接するように設けられた
ことを特徴とする請求項６に記載のキーボード。
【請求項８】
上記キーボードカバーは、上記第１及び第２の部材が当該第２の部材を上側にして折り畳まれて上記キーボード筐体の載置面に載置可能である
ことを特徴とする請求項６に記載のキーボード。
【請求項９】
上記キーボード筐体の載置面に対する角度を所定角度に調整する角度調整機構
を具え、
上記キーボードカバーは、上記角度調整機構により上記キーボード筐体の角度が上記所定角度に調整された状態で上記第１及び第２の部材が折り畳まれたとき、上記載置面から浮上しないように上記第１の部材の上記第２の部材と連結する側とは反対側が上記キーボード筐体の上記前縁部に対して揺動する
ことを特徴とする請求項６に記載のキーボード。
【請求項１０】
上記キーボード筐体は、上記キー配列面に、当該キー配列面が上記キーボードカバーによって覆われても、操作可能なキーが設けられた
ことを特徴とする請求項６に記載のキーボード。
【請求項１１】
キーボード筐体の表面のみを覆うように、連結部を介して互いに連結された第１及び第２の部材と、
上記第１の部材の上記第２の部材と連結する側とは反対側を、上記キーボード筐体の前縁部と揺動可能に係合する係合部と、
上記第２の部材の裏面に、当該第１の部材及び上記第２の部材、又は当該第２の部材が覆う上記複数のキーのうち一方のキーと他方のキーとの間の上記キー配列面に当接するように設けられた突起部と
を具えることを特徴とするキーボードカバー。
【発明の詳細な説明】
【技術分野】
【０００１】
本発明はコンピュータ装置及びキーボード並びにキーボードカバーに関し、例えばデスクトップ型のパーソナルコンピュータ及びこれに用いられるキーボード並びにキーボードカバーに適用して好適なものである。
【背景技術】
【０００２】
従来、この種のパーソナルコンピュータとして、各種信号処理を実行する本体部に所定の第１の信号ケーブルを介して液晶ディスプレイが接続されると共に、所定の第２の信号ケーブルを介してキーボードが接続されて構成されたものがある。
【０００３】
かかる構成のパーソナルコンピュータにおいては、キーボードを介して入力される各種命令が第２のケーブルを介して本体部に与えられ、これにより本体部がこの各種命令に応じた信号処理を実行し得るようになされている。
【０００４】
本体部は、この際、信号処理内容を表す画像信号を第１のケーブルを介して液晶ディスプレイに送出し、当該液晶ディスプレイに設けられた液晶パネルにこの画像信号に基づく画像を表示させることにより、操作者に信号処理内容を目視確認させ得るようになされている。
【０００５】
また、キーボードは、キーボード筐体とキーとの間及びキー同士の間に隙間が存在しており、デスクトップ型のパーソナルコンピュータ等のキーボードは非使用時に表示部等よって覆われないため内部への塵埃が侵入し易く、また、当該内部に一旦侵入した塵埃の除去が困難である。そこで、キーの形状に合致する形状を有する透明樹脂製のキーボードカバーでキーボードのキーが配列された一面（以下、これをキー配列面と呼ぶ）を覆い、このキーボードカバーで覆った状態のままでもキーの操作を行える様にしたり、キーボードの非使用時にはキーボードを覆う布製のキーボードカバーが利用されている。
【０００６】
一方、キーボードの載置面とキーボードのうちで最下段に配列されているキー側の縁部との間には段差が存在しているので、キーボードの使用時には操作者の手首が反って、キーの操作に伴う疲労が多い。このため、上述の段差を緩やかにするパームレストが利用されている。
【発明の開示】
【発明が解決しようとする課題】
【０００７】
ところでかかる構成のパーソナルコンピュータにおいては、一般に机上の所定位置に液晶ディスプレイが配置されると共に、当該液晶ディスプレイのパネル面側の所望の位置にキーボードが配置され、このような配置のもとに操作者がキーボードを操作するようになされている。
【０００８】
ところがパーソナルコンピュータの配置される机上が比較的狭いと、キーの操作の合間に資料等を机上に広げるような場合、キーボードをいずれかの収納場所に一旦収納する必要があるものの、この比較的狭い机上にはキーボードの収納場所を確保し難い。
【０００９】
このため、この種のパーソナルコンピュータとして、図１７（Ａ）及び（Ｂ）に示すように構成されたものがある。
【００１０】
かかる構成のパーソナルコンピュータ１においては、本体部（図示せず）に第１の信号ケーブル２を介して陰極線管３が接続されると共に、第２の信号ケーブル４を介してキーボード５が接続されて構成されている。
【００１１】
この場合、かかる構成のパーソナルコンピュータ１においては、脚部６Ａ及び６Ｂを有するスタンド６上に陰極線管３を配置しており、キーボード５の使用時にはこれを陰極線管３のパネル面３Ａ側の所望の位置に配置するものの（図１７（Ａ））、上述したように机上に資料等を広げるような場合には、キーボード５をスタンド６の脚部６Ａ及び６Ｂの間に移動させることにより陰極線間３の下側に収納し得るようになされている（図１７（Ｂ））。
【００１２】
ところがこのスタンド６の脚部６Ａ及び６Ｂの間の距離は、キーボード５の長手方向の長さに応じて選定され、当該スタンド６はキーボード５よりも大きく形成されている。このためキーボード５の収納場所を陰極線間３の下側に確保するには、当該キーボード５よりも大きいスタンド６の設置場所を確保する必要があり、かくして収納効率が著しく低い。
【００１３】
一方、防塵用に利用されている布製のキーボードカバーは、非利用時のための収納場所が必要であり、特に、狭い机上には収納場所を確保することが困難であった。また、透明樹脂製のキーボードカバーでは、カバー状態でもキーが外部から見えるので、非使用時におけるキーボードの外観印象が良くなかった。しかも、透明ではあってもカバー状態ではキー上の文字が見にくく、且つ、カバー状態ではキーの操作時の感触が良くないので、キー配列面をカバーしたままではキーを操作しにくかった。
【００１４】
さらに、従来のパームレストはキーボードとは別体であるので、やはり、非利用時のための収納場所が必要であり、特に、狭い机上には収納場所を確保することが困難であった。
【００１５】
本発明は以上の点を考慮してなされたもので、キーボードカバーの収納場所を必要としないコンピュータ装置及びキーボード並びにキーボードカバーを提案しようとするものである。
【課題を解決するための手段】
【００１６】
かかる課題を解決するため請求項１にかかる発明においては、各種信号処理を実行する本体部に各種命令を与えるためのキーボードと、本体部から与えられる信号処理内容を表示パネルに表示する表示手段とを有するコンピュータ装置において、キーボードに対し、表側のキー配列面に複数のキーが配列されたキーボード筐体と、連結部を介して互いに連結された第１及び第２の部材を有し、当該第１の部材と第２の部材とでキーボード筐体のキー配列面を覆うキーボードカバーと、キーボードカバーの裏面に、当該キーボードカバーが覆う複数のキーのうち一方のキーと他方のキーとの間のキー配列面に当接するように設けられた突起部とを設けるようにして、第１の部材の第２の部材と連結する側とは反対側を、キーボード筐体の前縁部に揺動可能に装着するようにした。従って、かかる構成のコンピュータ装置では、キーボードの非使用時にキー配列面をキーボードカバーによって覆うことができると共に、キー配列面を覆ったキーボードカバーが撓んでキーが押下されることを回避することができ、キーボードの使用時にはキーボードカバーをキーボード筐体の前縁部よりも前側に揺動させて待避させることができる。
【００１７】
また請求項２にかかる発明においては、コンピュータ装置において、突起部を第２の部材の裏面に、一方のキーとしての通常のキーと、他方のキーとしてのファンクションキーとの間のキー配列面に当接するように設けるようにした。従って、かかる構成のコンピュータ装置では、キーボードの非使用時にキー配列面を覆ったキーボードカバーが撓んでキーが押下されることを回避することができる。
【００１８】
さらに請求項３にかかる発明においては、コンピュータ装置において、キーボードカバーの第１及び第２の部材を、当該第２の部材を上側にして折り畳んでキーボード筐体の載置面に載置させるようにした。従って、かかる構成のコンピュータ装置では、キーボードの使用時に、キーボードカバーの折り畳まれた第１及び第２の部材をパームレストにすることができる。すなわち、キーボードの非使用時には、キーボードカバーによりキー配列面を覆うことにより、キーボード内部への塵埃の侵入を抑制すると共に、キーに対する不慮の操作を防止することができる。また、キーボードの使用時には、折り畳まれたキーボードカバーの第１及び第２の部材をパームレストにすることにより、キーの操作に伴う疲労を低減させる。その結果、キーボードの非使用時及び使用時の何れでもキーボードカバーを有効に利用させることができ、非利用時のためのキーボードカバーの収納場所を不要にすることができる。
【００１９】
さらに請求項４にかかる発明においては、コンピュータ装置において、キーボード筐体の載置面に対する角度を所定角度に調整する角度調整機構を設けるようにして、当該角度調整機構によりキーボード筐体の角度が所定角度に調整された状態で、キーボードカバーの第１及び第２の部材が折り畳まれたとき、載置面から浮上しないように第１の部材の第２の部材と連結する側とは反対側をキーボード筐体の前縁部に対して揺動させるようにした。従って、かかる構成のコンピュータ装置では、キーボードの使用時に角度調整機構によってキーボード筐体の角度を調整することができると共に、このようにキーボード筐体の角度を調整してもパームレストとしてのキーボードカバーがキーボード筐体の載置面から浮上しないことにより、キーを操作し易くすることができる。
【００２０】
さらに請求項５にかかる発明においては、コンピュータ装置において、キーボード筐体のキー配列面に、当該キー配列面がキーボードカバーによって覆われても、操作可能なキーを設けるようにした。従って、かかる構成のコンピュータ装置では、キーボードカバーによってキー配列面を覆ったままでも特定のキーを操作させることができる。
【００２１】
さらに請求項６にかかる発明においては、キーボードにおいて、表側のキー配列面に複数のキーが配列されたキーボード筐体と、連結部を介して互いに連結された第１及び第２の部材を有し、当該第１の部材と第２の部材とでキーボード筐体のキー配列面を覆うキーボードカバーと、キーボードカバーの裏面に、当該キーボードカバーが覆う複数のキーのうち一方のキーと他方のキーとの間のキー配列面に当接するように設けられた突起部とを設けるようにして、第１の部材の第２の部材と連結する側とは反対側を、キーボード筐体の前縁部に揺動可能に装着するようにした。従って、かかる構成のキーボードでは、非使用時にキー配列面をキーボードカバーによって覆うことができると共に、キー配列面を覆ったキーボードカバーが撓んでキーが押下されることを回避することができ、使用時にはキーボードカバーをキーボード筐体の前縁部よりも前側に揺動させて待避させることができる。
【００２２】
また請求項７にかかる発明においては、キーボードにおいて、突起部を第２の部材の裏面に、一方のキーとしての通常のキーと、他方のキーとしてのファンクションキーとの間のキー配列面に当接するように設けるようにした。従って、かかる構成のキーボードでは、非使用時にキー配列面を覆ったキーボードカバーが撓んでキーが押下されることを回避することができる。
【００２３】
さらに請求項８にかかる発明においては、キーボードにおいて、キーボードカバーの第１及び第２の部材を、当該第２の部材を上側にして折り畳んでキーボード筐体の載置面に載置させるようにした。従って、かかる構成のキーボードでは、使用時に、キーボードカバーの折り畳まれた第１及び第２の部材をパームレストにすることができる。すなわち、キーボードの非使用時には、キーボードカバーによりキー配列面を覆うことにより、キーボード内部への塵埃の侵入を抑制すると共に、キーに対する不慮の操作を防止することができる。また、キーボードの使用時には、折り畳まれたキーボードカバーの第１及び第２の部材をパームレストにすることにより、キーの操作に伴う疲労を低減させる。その結果、キーボードの非使用時及び使用時の何れでもキーボードカバーを有効に利用させることができ、非利用時のためのキーボードカバーの収納場所を不要にすることができる。
【００２４】
さらに請求項９にかかる発明においては、キーボードにおいて、キーボード筐体の載置面に対する角度を所定角度に調整する角度調整機構を設けるようにして、当該角度調整機構によりキーボード筐体の角度が所定角度に調整された状態で、キーボードカバーの第１及び第２の部材が折り畳まれたとき、載置面から浮上しないように第１の部材の第２の部材と連結する側とは反対側をキーボード筐体の前縁部に対して揺動させるようにした。従って、かかる構成のキーボードでは、使用時に角度調整機構によってキーボード筐体の角度を調整することができると共に、このようにキーボード筐体の角度を調整してもパームレストとしてのキーボードカバーがキーボード筐体の載置面から浮上しないことにより、キーを操作し易くすることができる。
【００２５】
さらに請求項１０にかかる発明においては、キーボードにおいて、キーボード筐体のキー配列面に、当該キー配列面がキーボードカバーによって覆われても、操作可能なキーを設けるようにした。従って、かかる構成のキーボードでは、キーボードカバーによってキー配列面を覆ったままでも特定のキーを操作させることができる。
【００２６】
さらに請求項１１にかかる発明においては、キーボードカバーにおいて、キーボード筐体の表面のみを覆うように、連結部を介して互いに連結された第１及び第２の部材と、第１の部材の第２の部材と連結する側とは反対側を、キーボード筐体の前縁部と揺動可能に係合する係合部と、第２の部材の裏面に、当該第１の部材及び第２の部材、又は当該第２の部材が覆う複数のキーのうち一方のキーと他方のキーとの間のキー配列面に当接するように設けられた突起部とを設けるようにした。従って、かかる構成のキーボードカバーでは、キーボードの非使用時にキーボード筐体の表面を覆うことができると共に、キー配列面を覆った状態で撓んでキーを押下することを回避することができ、キーボードの使用時にはキーボード筐体の前縁部よりも前側に揺動させて待避することができる。
【発明の効果】
【００２７】
本発明によれば、コンピュータ装置では、キーボードに対し、表側のキー配列面に複数のキーが配列されたキーボード筐体と、連結部を介して互いに連結された第１及び第２の部材を有し、当該第１の部材と第２の部材とでキーボード筐体のキー配列面を覆うキーボードカバーと、キーボードカバーの裏面に、当該キーボードカバーが覆う複数のキーのうち一方のキーと他方のキーとの間のキー配列面に当接するように設けられた突起部とを設けるようにして、第１の部材の第２の部材と連結する側とは反対側を、キーボード筐体の前縁部に揺動可能に装着するようにしたことにより、キーボードの非使用時にキー配列面をキーボードカバーによって覆うことができると共に、キー配列面を覆ったキーボードカバーが撓んでキーが押下されることを回避することができ、キーボードの使用時にはキーボードカバーをキーボード筐体の前縁部よりも前側に揺動させて待避させることができ、かくしてキーボードカバーの収納場所を必要としないコンピュータ装置を実現することができる。
【００２８】
またキーボードでは、表側のキー配列面に複数のキーが配列されたキーボード筐体と、連結部を介して互いに連結された第１及び第２の部材を有し、当該第１の部材と第２の部材とでキーボード筐体のキー配列面を覆うキーボードカバーと、キーボードカバーの裏面に、当該キーボードカバーが覆う複数のキーのうち一方のキーと他方のキーとの間のキー配列面に当接するように設けられた突起部とを設けるようにして、第１の部材の第２の部材と連結する側とは反対側を、キーボード筐体の前縁部に揺動可能に装着するようにしたことにより、非使用時にキー配列面をキーボードカバーによって覆うことができると共に、キー配列面を覆ったキーボードカバーが撓んでキーが押下されることを回避することができ、使用時にはキーボードカバーをキーボード筐体の前縁部よりも前側に揺動させて待避させることができ、かくしてキーボードカバーの収納場所を必要としないキーボードを実現することができる。
【００２９】
さらにキーボードカバーでは、キーボード筐体の表面のみを覆うように、連結部を介して互いに連結された第１及び第２の部材と、第１の部材の第２の部材と連結する側とは反対側を、キーボード筐体の前縁部と揺動可能に係合する係合部と、第２の部材の裏面に、当該第１の部材及び第２の部材、又は当該第２の部材が覆う複数のキーのうち一方のキーと他方のキーとの間のキー配列面に当接するように設けられた突起部とを設けるようにしたことにより、キーボードの非使用時にキーボード筐体の表面を覆うことができると共に、キー配列面を覆った状態で撓んでキーを押下することを回避することができ、キーボードの使用時にはキーボード筐体の前縁部よりも前側に揺動させて待避することができ、かくして収納場所を必要としないキーボードカバーを実現することができる。
【発明を実施するための最良の形態】
【００３０】
以下図面について、本発明の一実施の形態を詳述する。
【００３１】
図１において、１０は全体として本発明を適用したパーソナルコンピュータを示し、各種信号処理を実行する本体部１１にディスプレイケーブル１２を介して液晶ディスプレイ１３が接続されると共に、キーボードケーブル１４を介してキーボード１１１が接続され、また当該キーボード１１１にマウスケーブル１６を介してマウス１７が接続されて構成されている。
【００３２】
図２（Ａ）及び（Ｂ）に示すように、液晶ディスプレイ１３は、キーボード１１１とは別体でなり、楔形状のスタンド２０の一面２０Ａのほぼ中央所定位置にアーム２１の一端２１Ａが支持され、当該アーム２１の他端２１Ｂにパネル部２２が支持されている。
【００３３】
このパネル部２２の前面２２Ａ中央には、液晶パネル２３が配設されると共に、当該前面２２Ａの矢印ａに示す右方向及びこれとは逆の左方向の端部には、それぞれスピーカ２４及び２５が配設されている。
【００３４】
そしてこの液晶ディスプレイ１３においては、本体部１１（図１）からディスプレイケーブル１２（図１）を介して画像信号及び音声信号が与えられると、当該画像信号に基づく画像を液晶パネル２３に表示させると共に、この音声信号に基づく音声をスピーカ２４及び２５を介して放音させるようになされている。
【００３５】
図３は液晶ディスプレイ１３を斜め後方から描いた斜視図である。この液晶ディスプレイ１３においては、アーム２１の一端２１Ａ内部に第１の支軸２６が左右方向とほぼ平行にして設けられ、当該アーム２１がこの第１の支軸２６を中心にしてスタンド２０に対して矢印ｂに示す一方（以下、これを時計回り方向と呼ぶ）及びこれとは逆の他方（以下、これを反時計回り方向と呼ぶ）に回動自在に枢支されている。
【００３６】
またアーム２１の他端２１Ｂ内部には、第２の支軸２７が左右方向とほぼ平行にして設けられ、パネル部２２がこの第２の支軸２７を中心にしてアーム２１に対して時計回り方向及び反時計回り方向に回動自在に枢支されている。
【００３７】
そして、図４（Ａ）〜（Ｅ）は第１の支軸２６を中心にアーム２１を回動させた様子を側面から描いた図である。これによりアーム２１は、その短辺方向が例えば矢印ｃに示す上方向とほぼ平行となる所定位置（図４（Ａ））から矢印ｄに示す前方向に所定角度で傾く所定位置（図４（Ｅ））までの所定の可動範囲内において、第１の支軸２６を中心にしてスタンド２０に対して時計回り方向及び反時計回り方向に回動し得るようになされている。
【００３８】
また、図５（Ａ）及び（Ｂ）は第２の支軸２７を中心にアーム２１を回動させた様子を側面から描いた図である。パネル部２２は、前面２２Ａが例えばアーム２１の短辺方向とほぼ平行となる所定位置から当該短辺方向に対してほぼ直交する所定位置までの所定の可動範囲内において、第２の支軸２７を中心にしてこのアーム２１に対して時計回り方向及び反時計回り方向に回動し得るようになされている。
【００３９】
このようにしてこの液晶ディスプレイ１３においては、アーム２１及びパネル部２２を時計回り方向及び反時計回り方向に回動させることにより、当該パネル部２２を液晶パネル２３の視認性を高め、かつ眼や首等が疲れにくいような所望の傾斜角度及び高さに調節し得るようになされている。
【００４０】
因みにスタンド２０の内部には、アーム２１の一端２１Ａを取り付けるための図示しない筐体（以下、これをスタンド筐体と呼ぶ）が設けられている。このスタンド筐体は、所定の重さを有するようにその厚みが選定されると共に、スタンド２０を安定して設置し得るようにその形状が選定されている。
【００４１】
またアーム２１の一端２１Ａは、このアーム２１の自重及びパネル部２２の重量並びにスタンド２０の重心を考慮して当該スタンド２０の一面２０Ａのほぼ中央部に対する取り付け位置が選定されている。
【００４２】
これによりこの液晶ディスプレイ１３においては、パネル部２２を時計回り方向及び反時計回り方向に過度に回動させて傾けた場合でも、全体の重量のバランスがくずれることを防止することができ、かくしてパネル部２２の回動方向に転倒することを防止し得るようになされている。
【００４３】
ここで、図６（Ａ）及び図７は、キーボードカバー１２１がキーボード１１１上のキー１１４を覆っている様子を夫々側面と真上から描いた図である。
【００４４】
図６（Ｃ）及び図８は、キーボードカバー１２１をパームレストとして使用している様子を夫々側面と真上から描いた図である。
【００４５】
図６（Ｂ）は、図６（Ａ）及び図７に示すキーボードカバー１２１の状態と図６（Ｃ）及び図８に示すキーボードカバー１２１の状態との間の遷移を側面から描いた図である。
【００４６】
図８に示すように、キーボード１１１では、キーボード筐体１１２の表側の面であるキー配列面１１３Ａに、通常のキー１１４やファンクションキー１１５やホットキー１１６が配列されている。図９に示すように、キーボード筐体１１２のうちで最下段に配列されているキー１１４側の縁部で、かつ両側部に近い部分には凹部１１７が設けられており、この凹部１１７内にピン１１８が設けられている。
【００４７】
図６〜図８に示すように、キーボード筐体１１２にはキーボードカバー１２１が装着されている。図７及び図９に示すように、キーボードカバー１２１は第１のカバー半体１２２と第２のカバー半体１２３とから成っており、夫々の連結部１２４及び１２５における凹凸嵌合やピンの挿入によって第１のカバー半体１２２と第２のカバー半体１２３とが互いに揺動可能に連結されている。但し、ポリプロピレン等の柔軟で曲げても折れにくい材料によって第１のカバー半体１２２と第２のカバー半体１２３とが一体成形されていて、それらの連結部で第１のカバー半体１２２と第２のカバー半体１２３とが揺動可能になっていてもよい。
【００４８】
図９及び図１０は、キーボードカバー１２１を夫々裏面と側面からの様子を描いた図である。
【００４９】
図９及び図１０に示すように、第１のカバー半体１２２のうちで連結部１２４とは反対側の辺の両端部に近い部分には鉤部１２６が一体に設けられており、これらの鉤部１２６がピン１１８に係合されることによって、図７及び図８に示すように、キーボードカバー１２１の全体がキーボード筐体１１２に揺動可能に装着されている。なお、連結部１２４及び１２５に垂直な方向における第２のカバー半体１２３の幅が第１のカバー半体１２２の幅よりも広い。
【００５０】
図９及び図１０に示すように、連結部１２４及び１２５に平行な方向における第２のカバー半体１２３の両端部に舌部１２７が設けられており、第１のカバー半体１２２及び第２のカバー半体１２３のうちでキー配列面１１３Ａとの対向面には、リブ１２８及び突起部１３１が一体に設けられている。鉤部１２６及び舌部１２７の夫々の近傍にも突起部１３２及び１３３が一体に設けられており、突起部１３２には貫通孔１３４が設けられており、突起部１３３には凸部１３５が設けられている。
【００５１】
図７及び図８に示すように、キーボード筐体１１２の表側の面の両側部に、キー配列面１１３Ａよりも隆起している隆起部１３６が設けられている。
【００５２】
以上のようなキーボード１１１では、当該キーボード１１１の非使用時には、図６（Ａ）及び図７に示すように、平面状に展開されたキーボードカバー１２１の第１のカバー半体１２２及び第２のカバー半体１２３がキー配列面１１３Ａをカバーする。しかも、キーボード筐体１１２のキー配列面１１３Ａの両側部に隆起部１３６が設けられているので、キー配列面１１３Ａの両端部においてキー配列面１１３Ａとキーボードカバー１２１との間の隙間が少なく、また、キーボード筐体１１２とキーボードカバー１２１とに一体感が生じて外観印象が良い。
【００５３】
但し、図７からも明らかなように、キーボードカバー１２１もホットキー１１６はカバーしないので、例えばホットキー１１６に、本体部１１（図１）の電源投入や、当該本体部１１に電源の投入からインターネット又は電子メール等の所定のアプリケーションソフトウェアを立ち上げるまでの一連の処理を一括して実行させるような命令が割り当てられている場合、当該ホットキー１１６はキーボード１１１のキー配列面１１３Ａがキーボードカバー１２１によって覆われた場合でも操作し得るようになされている。
【００５４】
キーボードカバー１２１がキー配列面１１３Ａをカバーしている状態では、リブ１２８はキー１１４同士の間に位置しており、突起部１３１はキー１１４とファンクションキー１１５との間のキー配列面１１３Ａに当接しており、突起部１３２及び１３３はキー配列面１１３Ａの両端部のうちでキー１１４以外の部分に当接している。このため、キーボードカバー１２１がキー配列面１１３Ａをカバーしている状態でも、キーボードカバー１２１によるキー１１４及びファンクションキー１１５の押下が回避されている。
【００５５】
一方、キーボード１１１の使用時には、第２のカバー半体１２３の両側から一対の舌部１２７に両手の指を当て、第１のカバー半体１２２及び第２のカバー半体１２３を持ち上げて操作者側へ引き寄せる。すると、ピン１１８及び鉤部１２６と連結部１２４及び１２５との夫々を中心にした揺動によって、図６（Ｂ）に示すように第１のカバー半体１２２及び第２のカバー半体１２３が山形に折れ曲がり、更に、図６（Ｃ）及び図８に示すように第１のカバー半体１２２及び第２のカバー半体１２３がキーボード筐体１１２よりも操作者側で折り畳まれる。
【００５６】
そして、既述の様に、連結部１２４及び１２５に垂直な方向における第２のカバー半体１２３の幅が第１のカバー半体１２２の幅よりも広いので、第２のカバー半体１２３のうちで第１のカバー半体１２２とは反対側の縁部がキーボード筐体１１２のうちで凹部１１７側の縁部に乗り掛かる。つまり、折り畳まれた第１のカバー半部１２２及び第２のカバー半体１２３によって、キーボード筐体１１２のうちで凹部１１７側の縁部からキーボード筐体１１２の載置面まで傾斜している断面略三角形の空間が形成されて、折り畳まれた第１のカバー半体１２２及び第２のカバー半体１２３がパームレストになる。従って、キーボードカバー１２１の素材や塗装を柔軟なものや滑りにくいものにしておけば、手に優しい使い心地でキー１１４等を操作することができる。
【００５７】
突起部１３２及び１３３は、第１のカバー半体１２２及び第２のカバー半体１２３のうちで上述の揺動時に互いに対向する部分に設けられており、かつ、凸部１３５が貫通孔１３４に嵌入することによって互いにクリック係合する。このため、第１のカバー半体１２２及び第２のカバー半体１２３がパームレストになっている状態では、これらの第１のカバー半体１２２及び第２のカバー半体１２３が互いにクリック係合している。
【００５８】
因みに、図９について上述したように、鉤部１２６がピン１１８に係合されることによって、キーボードカバー１２１がキーボード筐体１１２に装着されているので、鉤部１２６とピン１１８との係合を解除すれば、キーボードカバー１２１をキーボード筐体１１２から離脱させることができる。つまり、キーボードカバー１２１がキーボード筐体１１２に着脱可能であるので、必要に応じてキーボード筐体１１２に対するキーボードカバー１２１の装着及び離脱を行うことができる。
【００５９】
図１１は、キーボード１１１の裏面を斜め上方から描いた斜視図である。図１１に示すように、キーボード筐体１１２のキー配列面１１３Ａと対向する他面１１３Ｂの両側部で、かつ操作時に液晶ディスプレイ１３（図１）と対峙する側には、キーボード筐体１１２の一部である揺動片１３７が設けられている。
【００６０】
この揺動片１３７は所定の揺動角度に固定可能であり、揺動片１３７がキーボード筐体１１２に対して所定の揺動角度に固定されることによって、キーボード筐体１１２の載置面に対するキーボード筐体１１２の角度が調整される。これによりキーボード１１１においては、キーボード筐体１１２の載置面に対する姿勢を調整し得るようになされている。
【００６１】
そして、揺動片１３７の設けられている位置がキーボード筐体１１２の他面１１３Ｂのホットキー１１６に近い部分であるので、キーボード筐体１１２の載置面に対するキーボード筐体１１２の角度を揺動片１３７で調整しても、キーボード筐体１１２の載置面からキーボード筐体１１２のうちで凹部１１７側の縁部までの高さは殆ど変化せず、また、パームレストになっているキーボードカバー１２１がキーボード筐体１１２の載置面から浮上しない。
【００６２】
また、キーボード筐体１１２の他面１１３Ｂのほぼ中央部には、前後方向に沿って溝部１１３Ｃが設けられている。この溝部１１３Ｃは、スタンド２０（図２）の前側端部の幅に応じてその幅が選定されると共に、スタンド２０の一面２０Ａの傾斜角度に応じて、操作時に液晶ディスプレイ１３（図１）と対峙する後方向の一端側が前方向の他端側よりも深いテーパ形状となるようにその深さが選定されている。
【００６３】
図１２及び図１５は、キーボード１１１の操作時のキーボード１１１と液晶ディスプレイ１３との配置の様子を描いた図である。また図１３及び図１４はキーボード１１１の収納時のキーボード１１１とディスプレイ１３との配置の様子を夫々斜め前方と斜め後方から描いた図である。
【００６４】
そしてキーボード１１１の操作時には、図１２に示すように、当該キーボード１１１が液晶ディスプレイ１３から離れた所望の位置に配置される。
【００６５】
一方キーボード１１１の収納時には、図１３及び図１４に示すように、当該キーボード１１１をその背面が液晶ディスプレイ１３のアーム２１に当接するように移動させ、このキーボード１１１の溝部１１３Ｃにスタンド２０の前側部分を挿入するようにする。
【００６６】
このようにしてこのパーソナルコンピュータ１０においては、キーボード１１１を溝部１１３Ｃを介してスタンド２０の一面２０Ａに重ねるようにして、液晶ディスプレイ１３のパネル部２２の下側に収納し得るようになされている。
【００６７】
従ってこのパーソナルコンピュータ１０においては、従来のパーソナルコンピュータ１（図１７（Ａ）及び（Ｂ））に用いられるスタンド６（図１７（Ａ）及び（Ｂ））のようなキーボード１１１よりも大きい特別な収納部材を用いることなく、机上を有効に利用しながら当該キーボード１１１を液晶ディスプレイ１３に組み込むようにして収納し得るようになされている。
【００６８】
なおこの実施の形態の場合、パーソナルコンピュータ１０においては、図１５に示すように、スタンド２０の前側端部の所定部分にキーボード１１１が重ねられた場合や、当該スタンド２０から所定距離だけ離れた位置にキーボード１１１が配置された場合、当該液晶ディスプレイ１３のパネル部２２の傾斜角度及び高さを調節することによりその下側端部をこのキーボード１１１のキー配列面１１３Ａの後側の縁部に当接させることができる。
【００６９】
これによりこのパーソナルコンピュータ１０においては、キーボード１１１を所望の位置において液晶パネル１３と一体化して用いることができ、かくしてキーボード１１１の操作時にキー１１４と、液晶パネル２３との間のユーザの目線の移動範囲を格段的に狭くして眼の疲れや、首のこり等を大幅に低減させることができるようになされている。
【００７０】
因みにこのパーソナルコンピュータ１０においては、キーボード１１１と、液晶ディスプレイ１３とを一体化した際に、パネル部２２からキーボード１１１のキー配列面１１３Ａを介してパームレストとして用いているキーボードカバー１２１までが同色の帯状に塗装されている。従ってこの塗装によりキーボード１１１と、液晶ディスプレイ１３との一体感を高め、当該液晶パネル２３とキー１１４との視認性を向上させて、眼の疲れや首のこり等をさらに低減させることができるようになされている。
【００７１】
以上の構成において、このパーソナルコンピュータ１０では、キーボード１１１の操作時、当該キーボード１１１を液晶ディスプレイ１３の前面側の所望の位置に配置して操作し、キーボード１１１の収納時には、当該キーボード１１１を溝部１１３Ｃに液晶ディスプレイ１３のスタンド２０を挿入するように移動させ、当該キーボード１１１をこの溝部１１３Ｃを介してスタンド２０の一面２０Ａに重ねるように収納する。
【００７２】
従って、このパーソナルコンピュータ１０では、従来のパーソナルコンピュータ１（図１７（Ａ）及び（Ｂ））に用いられるスタンド６（図１７（Ａ）及び（Ｂ））のようなキーボード１１１よりも大きい特別な収納部材を用いることなく、当該キーボード１１１を液晶ディスプレイ１３のパネル部２２の下側を有効に利用して収納することができる。またこのように収納部材を用いる必要がないため、パーソナルコンピュータ１０を配置するための机上を有効に利用して当該パーソナルコンピュータ１０を配置することができると共に、キーボード１１１を収納することができる。
【００７３】
実際に、このパーソナルコンピュータ１０では、液晶ディスプレイ１３においてパネル部２２の傾斜角度及び高さを調整することができると共に、当該液晶ディスプレイ１３のスタンド２０の一面２０Ａにキーボード筐体１１２を重ねるように収納するため、キーボード１１１の収納時、キーボードカバー１２１を離脱させた状態のキーボード筐体１１２単体や、キーボード筐体１１２に装着したキーボードカバー１２１によりキー配列面１１３Ａをカバーした状態、またキーボードカバー１２１を折り畳んでパームレストとした状態のいずれにおいても、液晶ディスプレイ１３のパネル部２２の下側を有効に利用してキーボード１１１を収納することができる。
【００７４】
因みに人間が複数のものを見る場合には、一般にその見る対象となるものが眼を中心にした所定の球面に沿って連続するように配置されると、目線の移動範囲が狭くなると共に、焦点位置の変化が少なくなり眼や首が疲れにくくなることが知られている。
【００７５】
そしてこのパーソナルコンピュータ１０では、液晶ディスプレイ１３のパネル部２２を所望の傾斜角度及び高さに自在に調節することができるため、当該パネル部２２の液晶パネル２３と、キーボード１１１のキー配列面１１３Ａとをこのような球面に沿って容易に一体化して配置することができる。
【００７６】
以上の構成によれば、キーボード１１１の収納時、当該キーボード１１１をその溝部１１３Ｃにスタンド２０を挿入するように移動させ、当該キーボード１１１をこの溝部１１３Ｃを介してスタンド２０の一面２０Ａに重ねるように収納するようにしたことにより、特別な収納部材を用いることなく、キーボード１１１を液晶ディスプレイ１３のパネル部２２の下側を有効に利用して収納することができ、かくしてキーボード１１１の収納効率を向上させ得るパーソナルコンピュータを実現することができる。
【００７７】
なお上述の実施の形態においては、キーボード１１１の他面１１３Ｂにスタンド２０の前側端部の形状に応じた溝部１１３Ｃを設けるようにした場合について述べたが、本発明はこれに限らず、この溝部１１３Ｃに加えてキーボード１１１の背面側にアーム２１の前面側の形状及び幅に応じた溝部を設けるようにしても良い。
【００７８】
これによりキーボード１１１を溝部１１３Ｃを介してスタンド２０の一面２０Ａに重ねながら、このアーム２１の前面よりもさらに後側まで移動させて収納することができ、かくして上述した実施の形態よりもパネル部２２の下側をさらに有効に利用して収納効率を向上させることができる。
【００７９】
また上述の実施の形態においては、キーボード１１１の他面１１３Ｂに底がテーパ形状でなる溝部１１３Ｃを設けるようにした場合について述べたが、本発明はこれに限らず、この溝部は、スタンドを挿入し得れば、この他種々の形状にすることができる。
【００８０】
さらに上述の実施の形態においては、キーボード筐体１１２の他面１１３Ｂにスタンド２０に対応させた溝部１１３Ｃを設けるようにした場合について述べたが、本発明はこれに限らず、キーボード筐体１１２の他面１１３Ｂから揺動片１３７を起こし、当該キーボード筐体１１２を載置面に対して角度調整した状態でスタンド２０に重ねて収納するようにすれば、キーボード筐体１１２の後側を載置面から持ち上げている分、その他面１１３Ｂの溝部１１３Ｃを浅く形成することができ、かくしてキーボード筐体１１２を薄型化することができる。
【００８１】
さらに上述の実施の形態においては、本発明を液晶ディスプレイ１３を用いたデスクトップ型のパーソナルコンピュータ１０及び当該パーソナルコンピュータ１０に用いられるキーボード１１１並びにキーボードカバー１２１に適用するようにした場合について述べたが、本発明はこれに限らず、陰極線管を用いたデスクトップ型のパーソナルコンピュータ及び当該パーソナルコンピュータに用いられるキーボード並びにキーボードカバー等のように、この他種々のコンピュータ装置及びキーボード並びにキーボードカバーに適用することができる。
【００８２】
さらに上述の実施の形態においては、表示手段として、図３に示すように構成された液晶ディスプレイ１３を適用するようにした場合について述べたが、本発明はこれに限らず、スタンドの一面にアーム及びパネル部が順次固定されてなる液晶ディスプレイや、スタンドの一面に固定されたアームにパネル部が回動自在に保持されてなる液晶ディスプレイ、また表示パネル又は陰極線管に別体で台座が用いられるもの等のように、この他種々の表示手段を適用することができる。
【００８３】
さらに上述の実施の形態においては、キーボードの水平面に対する角度を調整する角度調整機構として、揺動片１３７を適用するようにした場合について述べたが、本発明はこれに限らず、キーボードの水平面に対する角度を調整することができれば、この他種々の角度調整機構を適用することができる。
【００８４】
さらに上述の実施の形態においては、第１のカバー半体１２２のうちで連結部１２４とは反対側の辺の両端部に近い部分には鉤部１２６が一体に設けられており、これらの鉤部１２６がピン１１８に係合されることによって、キーボードカバー１２１の全体がキーボード筐体１１２に揺動可能に装着されるようにした場合について述べたが、本発明はこれに限らず、図１６に示すようにキーボード１１１において、両面粘着テープや面ファスナ等の貼付テープ１３８によってキーボード筐体１１２の他面１１３Ｂにキーボードカバー１２１を装着するようにして、凹部１１７及びピン１１８と鉤部２６とをキーボード筐体１１２とキーボードカバー１２１とに夫々設けないことを除いて、上述の実施形態のキーボード１１１と同様に構成するようにしても良い。これによりピン１１８を含むヒンジ構造等が設けられていないキーボード筐体１１２にもキーボードカバー１２１を装着することができ、キーボードカバー１２１の汎用性を向上させることができる。
【図面の簡単な説明】
【００８５】
【図１】本発明によるパーソナルコンピュータの全体構成の一実施の形態を示す外観図である。
【図２】液晶ディスプレイの構成を示す外観図及び側面図である。
【図３】液晶ディスプレイのパネル部の調節の説明に供する略線的斜視図である。
【図４】アームの回動の説明に供する側面図である。
【図５】パネル部の回動の説明に供する側面図である。
【図６】キーボードカバーをパームレストにする操作を順次に示す略線的側面図である。
【図７】キーボードカバーがキー配列面をカバーしている状態を示す略線的平面図である。
【図８】キーボードカバーがパームレストになっている状態を示す略線的平面図である。
【図９】キーボードカバーのキー配列面との対向面とキー配列面の一部を示す略線的平面図である。
【図１０】キーボードカバーを示す略線的側面図である。
【図１１】キーボードを裏側から見た略線的斜視図である。
【図１２】キーボードの操作時の配置の説明に供する略線的斜視図である。
【図１３】キーボードの収納の説明に供する略線的斜視図である。
【図１４】キーボードの収納の説明に供する略線的斜視図である。
【図１５】キーボードと、液晶ディスプレイとの一体化の説明に供する略線的斜視図である。
【図１６】両面粘着テープや面ファスナ等の貼付テープによってキーボード筐体の裏側の面にキーボードカバーが装着されている他の実施の形態におけるキーボードカバーがパームレストになっている状態でキーボードのキーボード筐体の一部を破断した略線的平面図である。
【図１７】従来のパーソナルコンピュータの構成を示す略線的斜視図である。
【符号の説明】
【００８６】
１０……パーソナルコンピュータ、１３……液晶ディスプレイ、２０……スタンド、２１……アーム、２２……パネル部、２３……液晶パネル、１１１……キーボード、１１２……キーボード筐体、１１３Ａ……キー配列面、１１３Ｂ……他面、１１３Ｃ……溝部、１１４……キー、１１５……ファンクションキー（キー）、１１６……ホットキー、１２１……キーボードカバー、１２２……第１のカバー半体（第１の部材）、１２３……第２のカバー半体（第２の部材）、１２４、１２５……連結部（第２の揺動軸）、１２６……鉤部（第１の揺動軸）、１２７……舌部、１２８……リブ、１３１、１３２、１３３……突起部、１３６……隆起部、１３７……揺動片（角度調整機構）、１３８……貼付テープ。
【図１】
2008065849.tif 000003
【図２】
2008065849.tif 000004
【図３】
2008065849.tif 000005
【図４】
2008065849.tif 000006
【図５】
2008065849.tif 000007
【図６】
2008065849.tif 000008
【図７】
2008065849.tif 000009
【図８】
2008065849.tif 000010
【図９】
2008065849.tif 000011
【図１０】
2008065849.tif 000012
【図１１】
2008065849.tif 000013
【図１２】
2008065849.tif 000014
【図１３】
2008065849.tif 000015
【図１４】
2008065849.tif 000016
【図１５】
2008065849.tif 000017
【図１６】
2008065849.tif 000018
【図１７】
2008065849.tif 000019